Podtech/llm-jp-corpus-v4-ja_patent huggingface dataset:
(57)【要約】【課題】  従来は電圧や電流を上げることにより発振周波数を上げていたが、電圧や電流に制限がある場合等にはそれにより発振周波数も制限されてしまう。【解決手段】  発振器の出力側に全波整流器を繋げると全波整流された波形が出てくる。しかし、振幅が約半分になっているため、全波整流器の出力側にインバータ、シュミット回路等の反転増幅器、演算増幅器、差動増幅器等を繋げることより元の発振器と同じ振幅で周波数が２倍の矩形波が得られることができる。また、出力された矩形波は連続した波形なのでさらに全波整流器としきい値を最適に設定した差動増幅器等をｎ段繋げることにより２ｎ倍の発振周波数を得ることができる。【選択図】図１
2005348383.tif 000002
【特許請求の範囲】
【請求項１】
発振器に全波整流器を接続し、全波整流器に差動増幅器、演算増幅器、反転増幅器のいずれかを接続することにより振幅を変えずに２倍の発振周波数の矩形波を出力する発振器また、全波整流器と差動増幅器、演算増幅器、反転増幅器の組み合わせをｎ段つなげることにより２ｎ倍の出力をする発振器
【発明の詳細な説明】
【技術分野】
【０００１】  本発明は、電気電子回路の発振器に関する
【背景技術】
【０００２】  従来の発振器では電圧や電流を変化させることによって高い発振周波数を得ているものがある。
【発明の開示】
【発明が解決しようとする課題】
【０００３】  従来は電圧や電流を上げることにより発振周波数を上げていたが、電圧や電流に制限がある場合等にはそれにより発振周波数も制限されてしまうという欠点があった。【０００４】  本発明は電圧や電流をあげる回路を組み込むこと以外の方法により発振周波数を上げることを目的としたものである。
【課題を解決する為の手段】
【０００５】  発振器の出力側に全波整流器を繋げると全波整流された波形が出てくる。しかし、振幅が約半分になっているため、全波整流器の出力側にインバータ、シュミット回路等の反転増幅器、演算増幅器、差動増幅器等を繋げることより元の発振器と同じ振幅で周波数が２倍の矩形波が得られることができる。
【０００６】  また、出力された矩形波は連続した波形なのでさらに全波整流器としきい値を最適に設定した差動増幅器等をｎ段繋げることにより２ｎ倍の発振周波数を得ることができる。
【発明の効果】
【０００７】  上述したように本発明では電圧や電流を増幅する装置を用いず、簡単な回路構成で２ｎ倍の発振周波数を得ることができる。
【発明を実施する為の最良形態】
【０００８】  発振器に全波整流器を繋げることにより振幅が１／２の全波整流の波形を得ることができる。またその出力部にインバータやコンパレータ等を接続することによりしきい値より高い電圧と低い電圧を判別し出力することにより２倍の周波数である矩形波を形成することができる。
【０００９】  また、このインバータやコンパレータの基準電位を発振器の最小電位に設定することにより振幅も発振器の出力時のものと等しくなる。
【図面の簡単な説明】
【００１０】
【図１】２ｎ倍発振器の回路構成示した図である
【図２】２ｎ倍発振器の構成要素毎の波形図を示したものである。
【図１】
2005348383.tif 000003
【図２】
2005348383.tif 000004
(57)【要約】【課題】従来、携帯電話を使用するときは、必ず片手で本体を持ち、通話を行っていたが、主婦の場合、授乳時や料理時などに電話がかかってきたりしたときなど、とっても不便であった。また、オフィスで作業中などに携帯電話がかかってきたときなども、両手がハンズフリー状態で使用できる方法はないかと思うことがしばしばあった。そんなときに、両手をハンドフリーにして携帯電話を利用できるような吸盤利用の携帯電話耳かけ式ハンズフリー用具を提供する。【解決手段】  本発明は、多様化する携帯電話の機種のいずれの携帯電話にも使用可能にした携帯電話に関するものである。  図１で示すとおり、耳かけリング板１には、リングの適当な箇所に切断線切り込み部位３を設け、耳挿入孔２に耳が容易に挿入できるようにしてあり、図２で示すとおり、吸盤２と耳かけリング板１は一体物に作成する。  図３で示すとおり、吸盤２を携帯電話の表示板ガラスに吸着させ、耳かけリング板１の切断線切り込み部位３を前後にずらし、耳挿入孔２に耳挿入して使用する。【選択図】      図３
2005348385.tif 000002
【特許請求の範囲】
【請求項１】
図１で示すとおり、耳かけリング板１には、耳挿入孔２があり、リングの適当な箇所に切断線切り込み部位３を設け、耳挿入孔２に耳が容易に挿入できるようにし、吸盤２と耳かけリング板１を一体物とした、吸盤を利用することを特徴とする携帯電話耳かけ式ハンズフリー用具。
【請求項２】
図４、図５、図６に示すように、耳かけリング板１と吸盤をそれぞれ個別に制作し、耳かけリング板１には吸盤嵌合孔６を設け、その吸盤嵌合孔６に、吸盤３を挿入嵌合した、請求項１同様の機能を持つことを特徴とする吸盤利用の携帯電話耳かけ式ハンズフリー用具。
【発明の詳細な説明】
【発明の詳細な説明】
【技術分野】
【０００１】本発明は、携帯電話あるいはＰＨＳで通話中に両手を自由にする、携帯電話あるいはＰＨＳの耳掛け具を提供する。
【背景技術】
【０００２】従来、携帯電話は片手で本体を持ち、通話を行っていたが、下記文献のように、片手も使わずに、外耳に掛けることで、ハンズフリー状態で使用できる発明品もあったが、いずれも新製品として携帯電話に装備するものであった。
また、実新登録３０９８３６０号のように、使用中の携帯電話に後で取り付ける耳掛け具も考案されているが、中折れ式の携帯電話では使用に困難であり、且つ、通話時の携帯電話の位置が移動するため、通話が困難であった。
【特許文献１】    特許公開２００１−１３６２５８
【特許文献２】    特許公開２００３−６０７６１
【実新文献３】
実新登録３０９８３６０号
【発明の開示】
【発明が解決しようとする課題】
【０００３】本発明は、これらの欠点を解決するために発明されたものである。
【課題を解決するための手段】
【０００４】本発明は、多様化する携帯電話の機種のいずれの携帯電話にも使用可能にした携帯電話に関するものである。
図１で示すとおり、耳かけリング板１には、リングの適当な箇所に切断線切り込み部位３を設け、耳挿入孔２に耳が容易に挿入できるようにしてあり、図２で示すとおり、吸盤２と耳かけリング板１は一体物に作成する。
図３で示すとおり、吸盤２を携帯電話の表示板ガラスに吸着させ、耳かけリング板１の切断線切り込み部位３を前後にずらし、耳挿入孔２に耳挿入して使用する。
【発明の効果】
【０００５】  本発明の吸盤利用の携帯電話耳かけ式ハンズフリー用具を使用すると、乳幼児への母乳授乳時などにはとっても便利である。また、主婦にとっては、炊事中などに両手をフリーにしながら料理を作る場合も結構便利なものである。
オフィスなどの作業中でも、両手をフリーにしたまま作業ができるので、とっても重宝であると思われる。
【発明を実施するための最良の形態】
【０００６】
【実施例１】  本発明の吸盤利用の携帯電話耳かけ式ハンズフリー用具は、耳かけリング板１と吸盤２を一体物で制作した方がよりベターであるが、図４、図５、図６に示すように、別々に制作してもよい。
【実施例２】  本発明の吸盤利用の携帯電話耳かけ式ハンズフリー用具は、耳かけリング板に切断線切り込み２部位３を設けているが、図４に示すように、設けなくてもよい。
【実施例３】  本発明の吸盤利用の携帯電話耳かけ式ハンズフリー用具の使用材料は、合成樹脂、ゴム、等が考えられるが、金属板または木で制作してもよい。
【図面の簡単な説明】
【０００７】
【図１】本発明の平面図
【図２】本発明を携帯電話に装着した側面図
【図３】本発明を携帯電話に装着した正面図
【図４】本発明の耳かけリング板のみの平面図
【図５】本発明の吸盤の側面図
【図６】本発明の耳かけリング板と吸盤を挿入嵌合した側面図
【符号の説明】
【０００８】    １．耳かけリング板
２．耳挿入孔
３．吸盤（一体形の一部）
４．リング切断切り込み部位
５．携帯電話
６．吸盤挿入嵌合孔
７．吸盤単体
【図１】
2005348385.tif 000003
【図２】
2005348385.tif 000004
【図３】
2005348385.tif 000005
【図４】
2005348385.tif 000006
【図５】
2005348385.tif 000007
【図６】
2005348385.tif 000008
(57)【要約】      （修正有）【課題】カーナビゲーションのディスプレイが常時自然光、特に直射日光に晒され消耗するのを防ぐ。【解決手段】固定具を介して開閉できる板状の保護板で、カーナビゲーションディスプレイを覆い、遮光できる様にした。  また常時装着していて、ワンタッチで操作できる様にした。【選択図】  図１
2005348387.tif 000002
【特許請求の範囲】
【請求項１】
カーナビゲーションのディスプレイに対し、任意に角度を変えて開閉でき、使用していない時はディスプレイ画面を遮光して消耗を防ぐ、カーナビゲーションディスプレイの保護板。
【発明の詳細な説明】
【技術分野】
【０００１】  本発明はカーナビゲーションのディスプレイが常時自然光、特に直射日光に晒され消耗するのを保護板を用いて防ぐものである。
【背景技術】
【０００２】  従来袋をかぶせるタイプのものが在るが、▲１▼車のダッシュボードにカーナビゲーションの全面がはめ込まれたものには袋状のものは使用できない▲２▼袋を取り外したり、片付けたり煩わしい。
【発明の開示】
【発明が解決しようとする課題】
【０００３】  本発明は、従来の構成の２点の問題を解決しようとするものである。
【課題を解決するための手段】
【０００４】  本発明は、上記目的を達成するためにディスプレイ保護板を固定具を介してカーナビゲーションの枠上部に接着し、保護板を跳ね上げる様に全開させたり、任意の角度で止めてひさし状にして見易くする事ができる。また常に、装着状態になっているのでワンタッチで操作できる。
【発明を実施するための最良の形態】
【０００５】  本発明は、カーナビゲーションの枠の上部に固定具（１）を接着固定する。接着は固定具（１）の裏面に、剥がしても跡が残らない両面接着テープを用いる。保護板（４）と軸受け（３）は一体となっている。軸受け（３）はスプリング機能を有し、軸（２）にはめこみ接続する。
保護板（４）を上下に開閉すると、軸（２）とスプリング機能を有する軸受け（３）との間で抵抗を受けながら回転し、任意に手を放したところで止める事ができる。
【産業上の利用の可能性】
【０００６】  カーナビゲーションディスプレイの消耗を防ぐ。保護板の裏は黒でＵＶ加工を施す。表はコマーシャルを入れて贈答用として使用できる。また、この保護板は車内に装備されたテレビの保護板として使用できる。
【図面の簡単な説明】
【０００７】
【図１】本発明の見取り図である。
【図２】本発明の固定具の断面図である。
【図３】本発明の固定具の見取り図である。
【図４】本発明の保護板の見取り図である。
【符号の説明】
【０００８】  （１）は固定具        （２）は軸        （３）は軸受け        （４）は保護板
【図１】
2005348387.tif 000003
【図２】
2005348387.tif 000004
【図３】
2005348387.tif 000005
【図４】
2005348387.tif 000006
(57)【要約】【課題】  大人は、いろいろな食べ物を食べるのでリジンを比較的容易に取ることができるが、乳幼児は食べ物の種類が少なくリジン不足になりやすい。【解決手段】  牛乳にリジンを混ぜて全必須アミノ酸含有の乳幼児用ミルクとする。【選択図】  無し【特許請求の範囲】
【請求項１】
牛乳にリジンを加えた乳幼児用ミルク。
【発明の詳細な説明】
【技術分野】
【０００１】
本発明は、牛乳にリジンを混ぜ全必須アミノ酸含有の乳幼児用ミルクを用意するものである。
【背景技術】
【０００２】
従来は、全必須アミノ酸を含有する乳幼児用ミルクは無かった。
【発明の開示】
【発明が解決しようとする課題】
【０００３】
大人は、いろいろな食べ物を食べるのでリジンを比較的容易に取る事ができるが、病院に入院した時などは、大人用の栄養点滴にもリジンが含まれていて非常に重要な必須アミノ酸の一つである。乳幼児は、食べ物の種類が少なくリジン不足になりやすい。
【課題を解決するための手段】
【０００４】
牛乳にリジンを加えて全必須アミノ酸含有の乳幼児用ミルクとする。
【発明の効果】
【０００５】
全必須アミノ酸が含まれているミルクなので乳幼児が栄養失調になる可能性が低くなる。
(57)【要約】【目的】  食品の他の味にはほとんど変化を与えないで、食品の酸味をマスキングする方法を提供する。【構成】  食品に対して０．０００１〜２０％、好ましくは０．０００５〜１０％の５’−ウリジル酸ナトリウムおよび／または５’−シチジル酸ナトリウムを添加する。【選択図】  なし【特許請求の範囲】
【請求項１】
食品に５’−ウリジル酸ナトリウムおよび／または５’−シチジル酸ナトリウムを添加することを特徴とする、食品の酸味をマスキングする方法。
【発明の詳細な説明】
【技術分野】
【０００１】
本発明は、５’−ウリジル酸ナトリウム（ＵＭＰ）あるいは５’−シチジル酸ナトリウム（ＣＭＰ）を添加することによる、食品の酸味をマスキングする方法に関する。
【背景技術】
【０００２】
食品の酸味などの成分は、食品に独特のさわやかさ、清涼感を与えるほか、保存性を高める効果を併せ持つなど、食品において重要な意味をもっている。しかし、人によっては逆に不快感を与え、食欲を減退させる原因にもなっている。
【０００３】
酸味のマスキングには、グルタミン酸ナトリウム（ＭＳＧ）あるいは砂糖などを添加する方法があるが、うま味を増すことによって相対的に酸味等を減少させるものであり、他の味をほとんど変化させずに酸味をマスキングする方法は未だ開発されていない。
【０００４】
ＵＭＰあるいはＣＭＰはそれ自身呈味性がほとんどないと言われているが、例えば、５’−イノシン酸ナトリウム（ＩＭＰ）や５’−グアニル酸ナトリウム（ＧＭＰ）の呈味に幅をもたせたるためにこれらと併用できること、トリコロミン酸、イデポン酸と併用することにより相乗作用をもつこと（第５版食品添加物公定書解説書、１９８７年発行）、あるいは、ＭＳＧを呈味成分とする調味料・食品等の品質改善にＩＭＰ、ＧＭＰとともに併用できること（例えば、特公昭３７−１３７２７号公報、特開昭６０−４７６５２号公報、等）、更に、リジン、アルギニンの苦みを除去できること（例えば、特公昭５３−５３９１号公報、等）等が報告されているが、酸味のマスキング作用については報告がない。
【発明の開示】
【発明が解決しようとする課題】
【０００５】
本発明の目的は、食品の酸味の有効なマスキング方法、特に他の味にほとんど変化を与えないで酸味をマスキングする方法を提供することにある。
【課題を解決するための手段】
【０００６】
本発明者らは、かかる課題を解決すべく鋭意検討を重ねた結果、ＵＭＰあるいはＣＭＰを食品に添加することにより、食品の酸味を有効にマスキングすることができることを見いだし本発明を完成するに至った。
すなわち本発明は、食品の酸味をマスキングする方法を提供するものである。
【発明の効果】
【０００７】
本発明によれば、ＵＭＰあるいはＣＭＰを食品に添加することによる、食品の酸味をマスキングする方法が提供される。
【発明を実施するための最良の形態】
【０００８】
以下、本発明を詳細に説明する。
本発明でいう食品とは、例えば食酢、ポン酢、めんつゆ、ケチャップ、マヨネーズ、ドレッシングあるいはリンゴ、レモン、オレンジなどの果汁飲料等の酸味を有する食品などをいう。
【０００９】
本発明で使用されるＵＭＰ、ＣＭＰは、結晶、粗結晶、あるいはＵＭＰ、ＣＭＰ含有酵母抽出物等いずれのかたちでも使用できる。結晶、粗結晶は、例えば、酵母の核酸を食塩水で加熱抽出した後、核酸分解酵素で分解後ろ過し、ろ液をイオン交換樹脂に通しＵＭＰ、ＣＭＰを分画し、ナトリウム塩とした後濃縮して結晶を得るなどの方法で、また酵母抽出物としては、ＵＭＰ、ＣＭＰを含有しない酵母抽出物にＵＭＰ、ＣＭＰを添加する、あるいは酵母からＲＮＡを含むエキスを抽出しこれを核酸分解酵素で分解後濃縮あるいは噴霧乾燥するなどの方法で製造されたものを例示できる。
【００１０】
ＵＭＰあるいはＣＭＰの添加量は、食品の種類にもよるが、一般に、添加する食品に対して、ＵＭＰあるいはＣＭＰとして、０．０００１〜２０％、特に０．０００５〜１０％の範囲で使用することが好ましい。
本発明の方法は、ＵＭＰあるいはＣＭＰを直接対象食品に対して添加混合しても良く、また、これら有効成分を混合し、製剤化したものを添加して使用することもできる。
【００１１】
本発明の方法は、それ自身では呈味性を示さないＵＭＰ、ＣＭＰを食品に添加するものであるが、これらが食品中に含まれる酸味成分と何らかのインターラクションが引き起こされることにより、酸味のマスキング効果が発現されるものと推察している。
【実施例】
【００１２】
以下、本発明を実施例および比較例により、更に詳細に説明する。
比較例１、実施例１〜３
クエン酸（和光純薬工業（株）社製）２ｇを水１００ｍｌに溶解（比較例１）した。
同様の溶液に、それぞれにＵＭＰ（和光純薬工業（株）社製）を０．００５ｇ添加（実施例１）、ＣＭＰ（和光純薬工業（株）社製）を０．００５ｇ添加（実施例２）、ＵＭＰ及びＣＭＰをそれぞれ０．００２ｇを添加（実施例３）したスープを作製し、下記方法により、官能検査実施した。
【００１３】
（官能検査の方法−順位法）
官能検査は、２０名のパネラーにより、作製した比較例１および実施例１〜３の溶液（試料数４）について、酸味を順位法（酸味の少ないものが１）で評価した。
結果を表１に示す。表１の結果をもとに順位法の検定表を用いる方法により検定を行ったところ、有意水準１％で比較例１と実施例１〜３の間に有意差が認められた。
【００１４】
【表１】
2005348748.tif 000002
【００１５】
比較例２、実施例４
醸造酢（酸度４．２％）を５倍に希釈し（比較例２）、べつに同様の希釈溶液にＵＭＰ及び及びＣＭＰをそれぞれ０．００２ｇ添加した溶液（実施例４）を作製し、１２人のパネラーにより酸味を２点嗜好試験法（酸味の少ない方を選択）で評価した。その結果をもとに検定を行ったところ、有意水準１％で比較例２と実施例４との間に有意差が認められた。
【００１６】
比較例３、実施例５
ケチャップ１００ｇ（比較例３）と、これにＣＭＰを０．００２５ｇ添加したケチャップ（実施例５）を作製し、１２人のパネラーにより酸味を２点嗜好試験法（酸味の少ない方を選択）評価した。その結果をもとに検定を行ったところ、有意水準１％で比較例３と実施例５との間に有意差が認められた。
(57)【要約】【目的】  食品の他の味にはほとんど変化を与えないで、食品の塩から味をマスキングする方法を提供する。【構成】  食品に対して０．０００１〜２０％、好ましくは０．０００５〜１０％の５’−ウリジル酸ナトリウムおよび／または５’−シチジル酸ナトリウムを添加する。【選択図】  なし【特許請求の範囲】
【請求項１】
食品に５’−ウリジル酸ナトリウムおよび／または５’−シチジル酸ナトリウムを添加することを特徴とする、食品の塩から味をマスキングする方法。
【発明の詳細な説明】
【技術分野】
【０００１】
本発明は、５’−ウリジル酸ナトリウム（ＵＭＰ）あるいは５’−シチジル酸ナトリウム（ＣＭＰ）を添加することによる、食品の塩から味をマスキングする方法に関する。
【背景技術】
【０００２】
食品の塩から味などの成分は、食品に独特のさわやかさ、清涼感を与えるほか、保存性を高める効果を併せ持つなど、食品において重要な意味をもっている。しかし、例えば、漬物、塩辛に代表されるような食塩含有量の高い食品が近年の健康志向にともない、食塩味が嫌われる傾向にあるように、人によっては逆に不快感を与え、食欲を減退させる原因にもなっている。
【０００３】
塩から味のマスキングには、グルタミン酸ナトリウム（ＭＳＧ）あるいは砂糖などを添加する方法があるが、うま味を増すことによって相対的に塩から味を減少させるものであり、他の味をほとんど変化させずに塩から味をマスキングする方法は未だ開発されていない。
【０００４】
ＵＭＰあるいはＣＭＰはそれ自身呈味性がほとんどないと言われているが、例えば、５’−イノシン酸ナトリウム（ＩＭＰ）や５’−グアニル酸ナトリウム（ＧＭＰ）の呈味に幅をもたせたるためにこれらと併用できること、トリコロミン酸、イデポン酸と併用することにより相乗作用をもつこと（第５版食品添加物公定書解説書、１９８７年発行）、あるいは、ＭＳＧを呈味成分とする調味料・食品等の品質改善にＩＭＰ、ＧＭＰとともに併用できること（例えば、特公昭３７−１３７２７号公報、特開昭６０−４７６５２号公報、等）、更に、リジン、アルギニンの苦みを除去できること（例えば、特公昭５３−５３９１号公報、等）等が報告されているが、塩から味のマスキング作用については報告がない。
【発明の開示】
【発明が解決しようとする課題】
【０００５】
本発明の目的は、食品の塩から味の有効なマスキング方法、特に他の味にほとんど変化を与えないで塩から味をマスキングする方法を提供することにある。
【課題を解決するための手段】
【０００６】
本発明者らは、かかる課題を解決すべく鋭意検討を重ねた結果、ＵＭＰあるいはＣＭＰを食品に添加することにより、食品の塩から味を有効にマスキングすることができることを見いだし本発明を完成するに至った。
すなわち本発明は、食品の塩から味をマスキングする方法を提供するものである。
【発明の効果】
【０００７】
本発明によれば、ＵＭＰあるいはＣＭＰを食品に添加することによる、食品の塩から味をマスキングする方法が提供される。
【発明を実施するための最良の形態】
【０００８】
以下、本発明を詳細に説明する。
本発明でいう食品とは、例えばみそ汁、スープ、カレー、シチュー、醤油、酢、ポン酢、めんつゆ、煮物調味液、焼き肉のタレ、漬物、塩辛、コーヒー、ココア、チョコレート、ビール、みそなどの塩から味を持つ食品などをいう。
【０００９】
本発明で使用されるＵＭＰ、ＣＭＰは、結晶、粗結晶、あるいはＵＭＰ、ＣＭＰ含有酵母抽出物等いずれのかたちでも使用できる。結晶、粗結晶は、例えば、酵母の核酸を食塩水で加熱抽出した後、核酸分解酵素で分解後ろ過し、ろ液をイオン交換樹脂に通しＵＭＰ、ＣＭＰを分画し、ナトリウム塩とした後濃縮して結晶を得るなどの方法で、また酵母抽出物としては、ＵＭＰ、ＣＭＰを含有しない酵母抽出物にＵＭＰ、ＣＭＰを添加する、あるいは酵母からＲＮＡを含むエキスを抽出しこれを核酸分解酵素で分解後濃縮あるいは噴霧乾燥するなどの方法で製造されたものを例示できる。
【００１０】
ＵＭＰあるいはＣＭＰの添加量は、食品の種類にもよるが、一般に、添加する食品に対して、ＵＭＰあるいはＣＭＰとして、０．０００１〜２０％、特に０．０００５〜１０％の範囲で使用することが好ましい。
本発明の方法は、ＵＭＰあるいはＣＭＰを直接対象食品に対して添加混合しても良く、また、これら有効成分を混合し、製剤化したものを添加して使用することもできる。
【００１１】
本発明の方法は、それ自身では呈味性を示さないＵＭＰ、ＣＭＰを食品に添加するものであるが、これらが食品中に含まれる塩から味成分と何らかのインターラクションが引き起こされることにより、塩から味のマスキング効果が発現されるものと推察している。
【実施例】
【００１２】
以下、本発明を実施例および比較例により、更に詳細に説明する。
比較例１、実施例１〜３
ビーフエキスパウダー２５０ｇ、食塩１６２ｇ、オニオンエキスパウダー８５ｇ、チキンパウダー５０ｇ、上白糖５０ｇ、キャロットエキスパウダー３５ｇ、コショウ２ｇ、セロリパウダー１ｇ、パセリパウダー１ｇ、クローブ１ｇ、リンゴ酸１ｇ、グルタミン酸ナトリウム１２０ｇ、デキストリン２４２ｇの配合によりスープストックを作製した。このスープストックを水１００ｍｌに対して８ｇ添加しスープを作製した（比較例１）。
同様に作製したスープ１００ｍｌに、それぞれにＵＭＰ（和光純薬工業（株）社製）を０．００５ｇ添加（実施例１）、ＣＭＰ（和光純薬工業（株）社製）を０．００５ｇ添加（実施例２）、ＵＭＰ及びＣＭＰをそれぞれ０．００２ｇを添加（実施例３）したスープを作製し、下記方法により、官能検査を実施した。
【００１３】
（官能検査の方法−順位法）
官能検査は、１５名のパネラーにより、作製した比較例１および実施例１〜３のスープ（試料数４）について、塩から味を順位法（塩から味が少ない方が１）にて評価した。
結果を表１に示す。表１の結果をもとに順位法の検定表を用いる方法により検定を行ったところ、有意水準１％で比較例１と実施例１〜３の間に有意差が認められた。
【００１４】
【表１】
2005348747.tif 000002
【００１５】
比較例２、実施例４
薄口醤油４８０ｍｌ、みりん風調味液１６０ｍｌ、濃縮だし８０ｍｌ、上白糖１００ｇ、昆布エキスパウダー６ｇ、ＭＳＧ５ｇ、水１７０ｍｌにてめんつゆを作製し、温水（６０℃）にて３倍に希釈した（比較例２）。
同様に作製しためんつゆ１００ｍｌに、ＵＭＰ及びＣＭＰをそれぞれ０．０３ｇを添加（実施例４）したスープを作製し、下記方法により、官能検査を実施した。
【００１６】
（官能検査の方法−２点嗜好試験法）
１２人のパネラーに、塩から味の少ない方を選択させた。結果を表２に示す。表２の結果をもとに検定を行ったところ、有意水準１％で有意差が認められた。
【００１７】
【表２】
2005348747.tif 000003
(57)【要約】【課題】肩掛けバックの紐部分が捩れたり変形することなく掛けれるようにするハンガーを提供することを目的とする。【解決手段】中央に配されたフック１の先に人の肩厚みほどに円曲させた断面略Ｕ字型の幅広な紐掛け部２を設け、この紐掛け部２にバッグ３の紐３ａを掛けるようにした。また前記紐掛け部２を樹脂板、木製合板などの板材で断面Ｕ字型に形成するか、または針金、ステンレスを用いて断面Ｕ字型のフレーム体に形成した。さらに前記フック１を紐掛け部２の一方側縁の頂部に幅方向中央寄りに傾けて設けるようにし、また前記フック１の形状を鉤型、またはフレーム状の断面コ字形とした。【選択図】図１
2005348759.tif 000002
【特許請求の範囲】
【請求項１】
中央に配されたフック（１）の先に人の肩厚みほどに円曲させた断面略Ｕ字型の幅広な紐掛け部（２）を設け、この紐掛け部（２）にバッグ（３）の紐（３ａ）を掛けるようにした肩掛けバックの紐掛けハンガー。
【請求項２】
前記紐掛け部（２）を樹脂板、木製合板などの板材で断面Ｕ字型に形成するか、または針金、ステンレスを用いて断面Ｕ字型のフレーム体に形成した請求項１記載の肩掛けバックの紐掛けハンガー。
【請求項３】
前記フック１を紐掛け部（２）の一方側縁の頂部に幅方向中央寄りに傾けて設けるようにした請求項１及び請求項２記載の肩掛けバッグの紐掛けハンガー
【発明の詳細な説明】
【技術分野】
【０００１】
手提げや肩掛けバッグが傷まないようにその紐を掛けて収納するハンガーに関する。
【背景技術】
【０００２】
従来、女性用肩掛けバッグの紐を掛ける適切なハンガーが無かった。そのためＳ字フックや幅のある棒状のハンガーに紐部分を掛けたりしていたが、紐が捩れたり変形したりして使い勝手が悪く、掛け方が悪いとバックや紐に傷みが出ていた。またバッグの材質によってはハンガーに掛けずにそのまま収納するか、あるいはバックを袋で覆ってハンガーに掛けていた。
【発明の開示】
【発明が解決しようとする課題】
【０００３】
肩掛けバックの紐部分が捩れたり変形することなく掛けれるようにするハンガーを提供することを目的とする。
【課題を解決するための手段】
【０００４】
本発明は、請求項１記載のように、中央に配されたフック１の先に人の肩厚みほどに円曲させた断面略Ｕ字型の幅広な紐掛け部２を設け、この紐掛け部２にバッグ３の紐３ａを掛けるようにしたことを特徴とする。また請求項２に記載のように、前記紐掛け部２を樹脂板、木製合板などの板材で断面Ｕ字型に形成するか、または針金、ステンレスを用いて断面Ｕ字型のフレーム体に形成したことを特徴とする。
【０００５】
さらに請求項３に記載のように、前記フック１を紐掛け部２の一方側縁の頂部に幅方向中央寄りに傾けて設けるようにしたことを特徴としている。
【発明の効果】
【０００６】
上記の構成としたので、バッグの紐を本ハンガーに掛けたときに紐掛け部２が人の肩厚みほどに幅広に円曲しているのでバック本来のデザインの形のままに吊り下げることが出来る。そして紐部分が捩れたり、変形することも無い。更に絡まることが無く、複数個のバッグを整然と掛けることが出来る。
【０００７】
またフック１を幅広部分の中央側に傾けて設けたのでバック３を吊るしたときに紐掛け部２が重心位置に安定して傾かず水平を保つことが出来る。また大きさ、デザインを変えればファッション性にも優れ、色々な形のバッグにも対応できる。
【発明を実施するための最良の形態】
【０００８】
本発明、最良の実施の形態は、肩掛けバックの紐部分が捩れたり変形することなく掛けれるようにするものであって、フックの先に人の肩厚みほどに円曲させた断面略Ｕ字型の幅広なハンガー部分を設け、このハンガー部分にバッグの紐部分を掛けるようにしたものである。
【実施例１】
【０００９】
以下、図示実施例に基づいて説明する。図１〜図３は第1実施例を示し、中央に配された鉤型のフック１の先に人の肩厚みほどに円曲させた断面略Ｕ字型の幅広な紐掛け部２を設け、この紐掛け部２にバッグ３の紐３ａを掛けるようにしたものである。そして該紐掛け部２は樹脂板、または木製合板など断面Ｕ字型の板状のものであれば良く、またフック１は、Ｕ字型の幅広な紐掛け部２の一方側縁の頂部に幅方向中央寄りに傾けて設けてある。このことによりバック３の紐３ａはフック１の基端部分に干渉されずに断面Ｕ字型の紐掛け部２内に収まり、またフック１を幅広部分の中央側に傾けて設けたのでバック３を吊るしたときに紐掛け部２が重心位置に安定して傾かず水平を保つことが出来る。
【実施例２】
【００１０】
図４に示す第2実施例のものは、第１実施例と同様の紐掛け部2を不錆性の針金、ステンレスを用いてフレーム構造にしたものであって、フック１の先に人の肩ほどに円曲させた断面略Ｕ字型の幅広なフレーム構造の紐掛け部2を設け、この紐掛け部2にバッグ３の紐３ａを掛けるようにしたものである。
【実施例３】
【００１１】
図５に示す第３実施例のものは、鴨居や壁の縁板などに掛けられるように針金またはステンレスなどを用いてフック1の形状をフレーム状の断面コ字形としたものである。従って洋ダンスやクローゼットなど収容スペースが無い場合は室内の鴨居や壁の縁板などにこのフック1を引っ掛けて使用する。
【００１２】
更に滑り止めとして前記実施例１の樹脂板の表面を荒れた粗面にするか、または布地、ウレタンフォームなど柔軟な素材で形成した滑り止めの当て片を樹脂板や実施例２のフレーム枠体内に固着することにより紐のズレを安定させることが出来る。
【図面の簡単な説明】
【００１３】
【図１】実施例１のバック紐掛けハンガーにバックを吊るした状態を示す斜視図である。
【図２】図１の側面図である。
【図３】図１の正面図である。
【図４】実施例２のバック紐掛けハンガーにバックを吊るした状態を示す斜視図である。
【図５】実施例３のバック紐掛けハンガーを示す斜視図である。
【符号の説明】
【００１４】
１  フック
２  バックの紐掛け部
３  バック
３ａ  バックの紐
【図１】
2005348759.tif 000003
【図２】
2005348759.tif 000004
【図３】
2005348759.tif 000005
【図４】
2005348759.tif 000006
【図５】
2005348759.tif 000007
(57)【要約】【課題】暗い時でも、目の悪い者でも簡単に釣針のアイ（糸通し穴）にティペット（釣糸）が通せる釣針の提供。【解決手段】釣針の端（１）をへん平にし、丸く折り曲げ（２）〈支点部分〉と糸通し穴（３）を形成し、一部を本体に接触させる（４）〈作用点部分〉。さらに端（５）を外側に曲げ、開口部（６）〈力点部分〉を設け、開口部（６）〈力点部分〉にクリップテンションを持たせ、ワンタッチでアイ（糸通し穴）にティペット（釣糸）が通せ、しかもティペット（釣糸）が抜けない釣針。【選択図】  図１
2005348709.tif 000002
【特許請求の範囲】
【請求項１】
釣針の端（１）をへん平にし、丸く折り曲げ（２）〈支点部分〉、（２）で糸通し穴（３）を形成しさらに手前部（４）〈作用点部分〉に接触させ、端（５）を外側に曲げ、開口部（６）〈力点部分〉を設ける。この形状と鋼材という材質特性により、開口部（６）〈力点部分〉にクリップテンションを持つことを特徴とする釣針。
【請求項２】
一般的な釣針（フライフィッシング用）のアイ（糸通し穴）の形状を一部変え、端（５）をシャフト部（９）で閉じず、少し延ばして１／４程度アイ（糸通し穴）に重ねると、開口部にクリップテンションが発生し、請求項１の釣針と同様、ワンタッチでテペット（釣糸）を通す効果を得ることができる。
この場合、テペット（釣糸）を通す開口部〈力点部分〉は（６）と（８）の２カ所となる。
【発明の詳細な説明】
【技術分野】
【０００１】  この発明は、主にフライフィッシングで使用する釣針のアイ（糸通し穴）に簡単にティペット（釣糸）を通せるものである。
【背景技術】
【０００２】  従来は、小さなアイ（糸通し穴）にティペット（釣糸）の先端を通すものであった。
【発明の開示】
【発明が解決しようとする課題】
【０００３】  以前は、次のような欠点があった。
（イ）朝夕の暗い時や、目の悪い者にとっては、非常に困難な作業であった。
（ロ）寒い季節は、手先が利かず、これも非常に困難であった。
【課題を解決するための手段】  釣針の端（１）をへん平にし、丸く折り曲げ（２）〈支点部分〉、（２）で糸通し穴（３）を形成し、さらに手前部（４）〈作用点部分〉に接触させ、端（５）を外側に曲げ、開口部（６）〈力点部分〉を設ける。この形状と鋼材という材質特性により、開口部（６）〈力点部分〉にクリップテンションを持つことを特徴とする釣針である。
【発明効果】
朝夕の暗い時間や、目の悪い者、さらに寒く手先が利かない時でも簡単にアイ（糸通し穴）にティペット（釣糸）を通すことができる。
【発明を実施するための最良の形態】
【０００４】  釣針の端（１）をへん平にし、丸く折り曲げ（２）〈支点部分〉、（２）で糸通し穴（３）を形成し、さらに手前部（４）〈作用点部分〉に接触させ、端（５）を外側に曲げ、開口部（６）〈力点部分〉を設ける。この形状と鋼材という材質特性により、開口部（６）〈力点部分〉にクリップテンションを持たせる。使用する時は、開口部（６）に釣糸（７）を引っ掛け、前方に引けば簡単にアイ（糸通し穴）（３）に糸が通せる。
請求項２については、一般的な釣針（フライフィッシング用）のアイ（糸通し穴）の形状を一部変え、端（５）をシャフトで閉じず、少し延ばして１／４程度アイ（糸通し穴）に重ねると、開口部にクリップテンションが発生し、ワンタッチでテペット（釣糸）を通す効果を得ることができる。
この場合、テペット（釣糸）を通す開口部〈力点部分〉は（６）と（８）の２カ所となる。使用する時は、シャフト部（９）に釣糸（７）を引っ掛け、前方に引けば簡単にアイ（糸通し穴）（３）に糸が通せる。
【産業上の利用可能性】
【０００５】  シンプルで安価な発明であるが、もともとフライフィッシングは欧米で盛んであり、同発明は海外のシェアを得る可能性がある。
【図面の簡単な説明】
【図１】  本発明の側面図
【図２】  本発明の平面図
【図３】  本発明の使用の仕方を示す斜視図
【図４】  本発明（請求項２）の実施例を示す側面図
【図５】  本発明（請求項２）を示す平面図
【図６】  本発明（請求項２）の使用の仕方を示す斜視図
【符号の説明】
１  釣針の頭部
２  支点部分
３  アイ（糸通し穴）
４  作用点部分
５  釣針の末端
６  開口部（力点部分）
７  ティペット（釣糸）
８  開口部（力点部分）
９  シャフト部
【図１】
2005348709.tif 000003
【図２】
2005348709.tif 000004
【図３】
2005348709.tif 000005
【図４】
2005348709.tif 000006
【図５】
2005348709.tif 000007
【図６】
2005348709.tif 000008
(57)【要約】【課題】ク゛リーン上でゴルフボールにマークしたマーカーを外す時やマークする時、マーカーの収納や取り出しを容易にする為のホルダーである。【解決手段】マーカーを収納する時は、マーカー(ａ)の突起ピン８を持ってホルダー挿入口３からスライドさせマーカースライド終端部６に移動し、マーカー(ｂ)の状態で収納する。マーカーを使用する時は、マーカー(b)の突起ピン８を持ってフォルダー挿入口３に向けてスライドさせて取り出す。【選択図】図１
2005348773.tif 000002
【特許請求の範囲】
【請求項１】
マーカーの突起ピンを持って、マーカーの円形部を、ホルダーの挿入部に入れ、そのままマーカーをスライドさせて終端部迄移動し、マーカーを収納して使用するものである。
【発明の詳細な説明】
【技術分野】
【０００１】
本発明は、マーカーの収納や取り出しを容易にするホルダーに関する物である。
【背景技術】
【０００２】
一般にマーカーをク゛リーン上で使用する場合は、スラックス等のポケットからマーカーを取り出して、ゴルフボールにマークするが、このときポケットにはティーの大と小が数個混在し、取り出すのに苦労しているのが現状である。
【０００３】
しかし、このようなマーカーの収納や取り出しでは迅速なプレーを要求される状況のなかで、本人もあせってパットに集中できないことが多々ある。
【０００４】
この改善策として、各種のマーカー収納具がでているが、パターグリップの先端にマーカー収納用の穴を開けて収納したり（例えば、実用新案文献１参照。）、ベルトや着衣に装着するマーカーホルダーに突起ピンから挿入して収納するホルダー（例えば、実用新案文献２参照）、磁石タイプのホルダーで鉄製のマーカーを収納するものがあるが、磁石タイプの収納具を帽子のつばやスラックスのポケットの口に装着してマーカーを収納する場合は、目線とホルダーの位置が異なって見えにくい為収納しずらく、収納や取り出しを何度も繰り返すときは使いづらいものである。又ホルダー用に合わせた特製マーカーや鉄製のマーカーを紛失した場合は、再度ホルダーごと購入する必要が有る為不経済である。
【特許文献１】実用新案公開平８−１９号公報    しかしながらこの特許文献１に記載の収納具はクラブをバッグに収める時はグリップ側からいれるためマーカーが破損したり、外れたりする恐れがあるため必ずしも使いかってがよいとはいえない。
【特許文献２】実用新案公開平６−３９００４４号公報  しかしながらこの特許文献２に記載の収納具は、腰ベルトや着衣につけるため目線とホルダーの位置が異なり収納しずらく、又突起ピンを挿入して止める方法をとっている為このホルダー仕様に合致した特製のマーカーを使用する必要があり、マーカー紛失のときはホルダーごと購入する必要がある。
【発明の開示】
【発明が解決しようとする課題】
【０００５】
本発明の課題は、ク゛リーン上でパッティングプレーを何回も行う時、本発明のホルダーを手袋や時計バンドに装着する事でマーカーの収納や取り出しを容易に行うことができ、プレーに集中する事ができるようにしたものである。又本ホルダーは、どのゴルフ場でもサービス用として無償提供しているマーカーに対応出来るようにしたものでる。
【課題を解決するための手段】
【０００６】
上記の課題を解決する為、プラスティック製又は金具製等のホルダーの上側カバーの真中にマーカーの突起ピンがとおる開口部を設け、且つマーカーの円形部がスライドできるような下側台座との間隔を取り、一旦スライドが完了すると挿入部の入り口に、飛び出し防止の為に上側カバーと下側台座が接するように上側カバーに適度なＵ型角度をつける。又、ホルダー裏面に手袋や時計バンドに装着可能なクリップをつける。
【発明の効果】
【０００７】
本発明のマーカーキャッチを手袋や時計バンドに装着した場合、ク゛リーン上でホルダーに収納されたマーカーを取り出す時、ホルダーを装着した手を目線位置に近づけることでマーカーを容易に取り出す事ができ，又収納する時も同様に行うことでマーカーを簡単に収納出来るものである。又本発明のホルダーは、マーカーを紛失した場合でもゴルフ場でサービス用として無償提供しているマーカーを利用できる為経済的である。
【発明を実施するための最良の形態】
【０００８】
図1は、本発明ホルダーの斜視図であって、１はホルダー上側のカバーである。２はホルダー下側の台座である。３はマーカーの挿入口である。４はマーカースライド用の上側カバーの開口部である。５はマーカーを収納後、自然に飛び出さないように上側カバーが下側台座に接する部分である。６はマーカーの突起ピンを挿入する経路の終端部である。７は手袋等に装着する為のクリップである。８はマーカーの突起ピンである。９はマーカーの円形部である。(a)はマーカーの挿入前である。(ｂ)はマーカーの挿入後である。
【０００９】
図2は、本発明ホルダーの正面図であって、１〜９及び(a)と(ｂ)は図1と同様である。
【００１０】
図3は、本発明ホルダーの平面図であって、１〜９及び(a)と(ｂ)は図1と同様である。
【実施例１】
【００１１】
図１は、本発明ホルダーの実施例の斜示図であって、マーカーの突起ピン８をつかんで、マーカーの円形部９の先端をマーカー挿入部３に差込みマーカースライド終端部６に向けてスライドさせて収納する。取り出す時はマーカーの突起ピン８をつかんで、マーカー挿入口３の方向にスライドさせて取り出す。
【図面の簡単な説明】
【００１２】
【図１】ボールマーカーの使用状態を示した斜視図で、マーカー挿入前（ａ）とマーカー挿入後（b)の位置を示す。
【図２】ボールマーカーの正面を示した説明図で、マーカー挿入前（ａ）とマーカー挿入後（b）の状態を示す。
【図３】ボールマーカーの平面を示した説明図で、マーカー挿入前（ａ）とマーカー挿入後（b）の状態を示す。
【符号の説明】
【００１３】
１     ホルダー上側カバー
２     ホルダー下側台座
３     マーカー挿入口
４     マーカースライド用開口部
５     マーカー戻り防止部
６     マーカースライド終端部
７     ホルダー装着用クリップ
８     マーカー突起ピン
９     マーカー円形部
(a)     マーカー挿入前
(b)     マーカー挿入後
【図１】
2005348773.tif 000003
【図２】
2005348773.tif 000004
【図３】
2005348773.tif 000005
(57)【要約】【課題】  廃品発泡スチロールの再生処理は、特殊な処理設備及び高額な処理費用の問題があり、安価で安易に処理することができるようにすることである。また漂着物、不法投棄物は、海洋汚染及び森林破壊につながる要因の一つであり、それを阻止する方法を構築していくことである。【解決手段】  廃品発泡スチロール再生は、漂着物及び不法投棄物を収集し、廃品発泡スチロール２を原料とし適当な大きさ、様々な形状に加工し岩石風に表面処理を施す等の特徴を有する。【選択図】図４
2005348719.tif 000002
【特許請求の範囲】
発泡スチロールを適当な大きさにして、バーナーでスチロール表面を焼き、溶かしたり、穴を開けたり、結合させたりして岩石風や色々な品物に応じて表面に着色加工していくまで。
【発明の詳細な説明】
この発明は、漁業関係者等が使用していた、浮き発泡スチロール等（廃品）を回収して、バーナーで表面を焼き、溶かしたり、穴などを開けたりして、更に表面にスプレーや筆、ハケ類で着色し、岩石風や色々な品物に加工したものです。
今まで、捨てられて海岸線などに流れ着いていた発泡スチロールが、上記の加工により、新しい品物に生まれ変わるものであります。
１）  発明の名称
廃品発泡スチロール再生
３）  発明の詳細な説明
ａ、この発明は、廃品発泡スチロール（漁業用浮き等利用）をバーナーで表面を焼いて岩石風などに加工するものである。
ｂ、海岸線などに捨てられた発泡スチロール（漁業用浮き等）が流れ着き、大きくて処理が大変だったことに着目。
ｃ、本発明は、廃品発泡スチロールの再利用として考案されたもので、その加工方法を図面（写真）により説明します。
＊  図面（写真）  １．
海岸線などに捨てられている発泡スチロールを拾ってくる。
＊  図面２．３．４  （写真．２）
制作する物（植木鉢、花壇、金魚鉢、池、壁掛け、鉢カバー水槽内オブジェ，展示車輌用飾り）に応じて適当な大きさに切り、バーナーで表面を焼き、溶かし、穴を開けたりして、好みの形に仕上げる。
＊  図面５  （写真．３．４）
表面にスプレーや筆、ハケなどで着色し、目的物に作り上げていく。
ｄ、屋外で使用する時は風対策として中に、土、水、石、木など重りとして入れる事を考慮して加工していく。又、地中に埋め込んで使用する方法もあります。
ｅ、花、木、苔、草花など直接植えたり、植木鉢ごと飾ったり水草を浮かべたり、金魚やメダカを入れたり、楽しみ方はいろいろです。
＊  この方法で物作りをすることにより、加工技術指導、園芸指導、サークル活動もでき、作品はギフトとしても利用できます。又、海岸などに捨てられた発泡スチロールも無くなり、環境面でも多いに貢献できると考えます。
2005348719.tif 000003
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
適当な大きさ、様々な形状に加工し岩石風に表面処理を施す等の特徴を有した廃品発泡スチロール再生品。
【手続補正２】
【補正対象書類名】明細書
【補正対象項目名】全文
【補正方法】変更
【補正の内容】
【発明の詳細な説明】
【技術分野】
【０００１】  本発明は、廃品となった発泡スチロールのリサイクル品に関する。
【背景技術】
【０００２】  従来、廃品となった発泡スチロールは産業廃棄物として特定処理業者に処理を依頼している。また、それ以外については海岸、森林等に漂着物や不法投棄物となっている状況。
【発明の開示】
【発明が解決しようとする課題】
【０００３】  上述の如く、廃品発泡スチロールの再生処理は、特殊な処理設備及び高額な処理費用の問題があり、安価で安易に処理することができるようにすることである。また漂流物、不法投棄物は、海洋汚染及び森林破壊につながる要因の一つであり、それを阻止する方法を構築していくことである。
【課題を解決するための手段】
【０００４】  上述の目的を達成する本発明の廃品発泡スチロール再生は、漂着物及び不法投棄物を収集し、それを原料とし適当な大きさ、様々な形状に加工し岩石風に表面処理を施す等の特徴を有する。
【発明の効果】
【０００５】  以上説明したように本発明によれば、これまで特殊技術及び高額費用を必要とした処理が軽減でき、環境破壊の進行を阻止することが出来る。
【発明を実施するための最良の形態】
【０００６】  以下、本発明の実施の形態を図面に基づき詳細に説明する。【０００７】  図１〜図４は本発明の実施の形態に係り、図１は廃品収集模式図、図２は廃品加工模式図、図３は表面処理模式図、図４は実用例模式図である。【０００８】  図１に示すように海岸線１付近に漂着した発泡スチロール２を収集する。【０００９】  収集した発泡スチロールを図２に示すように、適当な大きさ様々な形状３に切断器具４を用い加工する。【００１０】  加工した物を図３に示すように表面処理材料５を使用し、岩石風の表面処理を行う。
【実施例】
【００１１】  図４、５、６には上述までの加工品の実用例として植栽容器機能を有した岩石風廃品発泡スチロール品で植栽用土７に植栽６を設置したものである。【００１２】  以上、本発明の実施の形態及び実施例を説明したが、本発明の範囲はこれに限定されるものではない。例えば花瓶、石臼風容器、庭園用縁石、灯篭風置物等のインテリア製品にすることができ状況に応じて適宜選択されるものである。
【産業上の利用可能性】
【００１３】  本発明は室内外のインテリア製品として製造、販売する産業分野で利用することができる。
【図面の簡単な説明】
【００１４】
【図１】  本発明の実施の形態に係る廃品収集模式図である。
【図２】  発泡スチロールの加工模式図である。
【図３】  加工後の表面処理模式図である。
【図４】  実用例模式図である。
【図５】  実用例図である。
【図６】  実用例図である。
【符号の説明】
【００１５】  １    海岸線
２    廃品発泡スチロール
３    切断加工線
４    切断器具
５    表面処理材料
６    植栽
７    植栽用土
【手続補正３】
【補正対象書類名】図面
【補正対象項目名】全図
【補正方法】変更
【補正の内容】
【図１】
2005348719.tif 000004
【図２】
2005348719.tif 000005
【図３】
2005348719.tif 000006
【図４】
2005348719.tif 000007
【図５】
2005348719.tif 000008
【図６】
2005348719.tif 000009
(57)【要約】【課題】    酒を長期保存するには、温度変動の少ない低温で保存することが必要であり、従来は、比較的低温で温度変化のない倉などに保管するのが一般的であった。更に管理レベルを上げる場合は、温度調節の可能な施設の中に置く事になり、施設あるいは温度調節設備が必要であり、その費用が必要となった。【解決の手段】    地すべり防止の防災用に建設された、集水井には、集水用の水抜きボーリングから集められた周囲の地下水が流れ込み、集められて、外に排水される。地下水であるため、水温は低く、年中ほぼ一定であり、集水井の中の温度も年中あまり変動はなく、涼しく一定である。  この空間に酒を保管することにより、酒は低温でほぼ一定の温度に保たれ、良好な状態で長期間保存が可能となる。また自然の地下水を利用しているため、温度調節のためのコストはかからない。【選択図】  図１
2005348713.tif 000002
【特許請求の範囲】
【請求項１】
酒を地下水の排出や水位の低下を目的として建設された地すべり防止用の集水井（井筒）の内に保存貯蔵する保存法
【発明の詳細な説明】
【技術分野】
【０００１】  本発明は、長期にわたり味を維持熟成させる酒の貯蔵保存に関する。
【背景技術】
【０００２】  酒を長期保存する場合は、温度変動の少ない低温で保存することが必要であり、比較的低温で温度変化のない倉などに保管するのが一般的である。更に管理レベルを上げる場合は、温度調節の可能な施設の中に置く事になり、施設或は温度調節設備が必要であった。【０００３】  また、地すべり災害防止のために建設された集水井は、地下水位を下げるために、井戸の中から周囲に向かい集水ボーリングを行い、地下水を集め、それを井戸から屋外へ排水している。集水井の深さは、集水及び排水の効果により決定され、井戸そのものの空間は、ボーリング施工後は、保守点検以外の利用はされていない。
【発明の開示】
【発明が解決しようとする課題】
【０００４】  以上に述べた、従来の倉では、外気の温度の上昇により、保存室の温度が高くなったり、外気による変動があったりした。また、温度調節を供えた施設の建設は、建設費がかかり、設備の運転に費用等が必要であった。【０００５】  また、集水井は、ボーリングの施行が行われた後は、その空間そのものの利用はなされていない。【０００６】  本発明は、このような従来の問題点を解決しようとするものであり、防災用の公共施設を有効活用し、水抜きボーリングから出てくる地下水と集水井の空間を使い、低温かつ変動の少ない温度状態を費用をかけず実現する。
【問題を解決する手段】
【０００６】  地すべり防止の防災用に建設された、集水井には、集水用の水抜きボーリングから集められた周囲の地下水が流れ込み、集められて、外に排水される。地下水であるため、水温は低く、年中ほぼ一定であり、集水井の中の温度も年中あまり変動はなく、涼しく一定である。
【０００７】  この空間に酒を保管することにより、酒は低温でほぼ一定の温度に保たれ、良好な状態で長期間保存が可能となる。また自然の地下水を利用しているため、温度調節のためのコストはかからない。
【０００８】  加えて、用されていない、公共施設の集水井の空間は有効利用される。
【発明の効果】
【０００９】  上記したように、本方法による酒の貯蔵保管は、変動のない低温状態で酒を長期保存する。という良好な環境を低コストで実現できる。
【発明の実施するための最良の形態】
【００１０】以下、本発明の実態の形態を図１に基づいて説明する。
図においては、１は地山で、そこに集水井２が施行されている。そこには集水ボーリング３により地下水が集められ、集水井２の底部５に集められ、それが排水ボーリング４により地上に排出されている。酒をビン又は容器に入れ６の位置に設置保管する。
【００１１】低部６には、常に地下水が流れ込みの集水井２の中は、定常的に低温が保たれる。
【図面の簡単な説明】
【００１２】
【図１】  本発明の実施形態を示す全体図
【符号の説明】
【００１３】    １地山
２集水井
３集水ボーリング
４排水ボーリング
５低部にたまった地下水
６酒の貯蔵容器（ケースに入った酒ビン等）
【図１】
2005348713.tif 000003